(57)【要約】【課題】物品の貸し借りにおけるトラブルを軽減し、円滑に物品の貸し借りを行なえるようにすること。【解決手段】上記の課題を解決するために、本発明では、データを読書き可能なメモリと、薄型ディスプレイとを備え、メモリに物品貸借情報（ＩＤ、貸主、借主、貸出日、返却期限、物品名等）が書き込まれると、物品貸借情報の中で、少なくとも、貸主、返却期限など返却に係わる情報を薄型ディスプレイに表示する機能を有することを特徴とするＩＣタグとしたものである。【選択図】なし【特許請求の範囲】
【請求項１】
データを読書き可能なメモリと、薄型ディスプレイとを備え、
メモリに物品貸借情報（ＩＤ、貸主、借主、貸出日、返却期限、物品名等）が書き込まれると、物品貸借情報の中で、少なくとも、貸主、返却期限など返却に係わる情報を薄型ディスプレイに表示する機能を有することを特徴とするＩＣタグ。
【請求項２】
返却までの残り時間を計算して薄型ディスプレイに表示する機能を有することを特徴とする請求項１記載のＩＣタグ。
【請求項３】
返却期限が到来すると警告音を出力する機能を有することを特徴とする請求項１又は２に記載のＩＣタグ。
【請求項４】
請求項１〜３の何れか１項に記載のＩＣタグのメモリに、物品貸借情報を書き込む機能と、
返却証明書を発行する機能と、
返却証明書を発行する際に、請求項１〜３の何れか１項に記載のＩＣタグのメモリに書き込まれている物品貸借情報を、消去する機能とを有することを特徴とする端末。
【請求項５】
請求項１〜３の何れか１項に記載のＩＣタグのメモリに、請求項４に記載の端末で書き込む物品貸借情報を保管する機能と、
借主の電子メールアドレスに返却勧告メールを送る機能とを有する機能とを有することを特徴とするサーバ。
【請求項６】
請求項１〜３の１項に記載のＩＣタグと、請求項４に記載の端末とを利用して物品の貸借を管理する方法であって、
物品にＩＣタグを取付けて貸し出す際に、ＩＣタグのメモリに、物品貸借情報を端末で書き込む工程と、
ＩＣタグが取付けられた物品が返却された際に、端末で、返却証明書を発行すると共に、ＩＣタグのメモリに書き込まれた物品貸借情報を消去する工程とを含むことを特徴とする物品の貸借管理方法。
【請求項７】
請求項５に記載のサーバも利用する物品の貸借を管理する方法であって、
ＩＣタグのメモリに、端末で書き込む物品貸借情報を保管する工程と、
借主の電子メールアドレスに返却勧告メールを送る工程とを含むことを特徴とする請求項６に記載の物品の貸借管理方法。
【発明の詳細な説明】
【０００１】
【発明の属する技術分野】
本発明は、ＩＣタグ、端末、サーバ、及びそれらを利用した物品の賃借方法に関する。
【０００２】
【従来の技術】
一般に、個人間、小・中規模の団体内では、物品の貸し借りを口約束で行なうことも多く、後でトラブルとなることがある。
【０００３】
【発明が解決しようとする課題】
本発明は、係る状況を鑑みてなされたもので、物品の貸し借りにおけるトラブルを軽減し、円滑に物品の貸し借りを行なえるようにすることを課題とする。
【０００４】
【課題を解決するための手段】
本発明において上記の課題を達成するために、まず請求項１の発明では、データを読書き可能なメモリと、薄型ディスプレイとを備え、
メモリに物品貸借情報（ＩＤ、貸主、借主、貸出日、返却期限、物品名等）が書き込まれると、物品貸借情報の中で、少なくとも、貸主、返却期限など返却に係わる情報を薄型ディスプレイに表示する機能を有することを特徴とするＩＣタグとしたものである。
【０００５】
また請求項２の発明では、返却までの残り時間を計算して薄型ディスプレイに表示する機能を有することを特徴とする請求項１記載のＩＣタグとしたものである。
【０００６】
また請求項３の発明では、返却期限が到来すると警告音を出力する機能を有することを特徴とする請求項１又は２に記載のＩＣタグとしたものである。
【０００７】
また請求項４の発明では、請求項１〜３の何れか１項に記載のＩＣタグのメモリに、物品貸借情報を書き込む機能と、
返却証明書を発行する機能と、
返却証明書を発行する際に、請求項１〜３の何れか１項に記載のＩＣタグのメモリに書き込まれている物品貸借情報を、消去する機能とを有することを特徴とする端末としたものである。
【０００８】
また請求項５の発明では、請求項１〜３の何れか１項に記載のＩＣタグのメモリに、請求項４に記載の端末で書き込む物品貸借情報を保管する機能と、
借主の電子メールアドレスに返却勧告メールを送る機能とを有する機能とを有することを特徴とするサーバとしたものである。
【０００９】
また請求項６の発明では、請求項１〜３の１項に記載のＩＣタグと、請求項４に記載の端末とを利用して物品の貸借を管理する方法であって、
物品にＩＣタグを取付けて貸し出す際に、ＩＣタグのメモリに、物品貸借情報を端末で書き込む工程と、
ＩＣタグが取付けられた物品が返却された際に、端末で、返却証明書を発行すると共に、ＩＣタグのメモリに書き込まれた物品貸借情報を消去する工程とを含むことを特徴とする物品の貸借管理方法としたものである。
【００１０】
また請求項７の発明では、請求項５に記載のサーバも利用する物品の貸借を管理する方法であって、
ＩＣタグのメモリに、端末で書き込む物品貸借情報を保管する工程と、
借主の電子メールアドレスに返却勧告メールを送る工程とを含むことを特徴とする請求項６に記載の物品の貸借管理方法としたものである。
【００１１】
【発明の実施の形態】
以下に、本発明の一実施の形態を説明する。
【００１２】
１．構成
本実施形態では、ＩＣタグと、端末と、サーバとを利用する。
【００１３】
端末は、ＩＣタグリーダ／ライタを備える専用端末、或は、パソコンなどの汎用コンピュータに周辺機器としてＩＣタグリーダ／ライタを取付けたものである。
【００１４】
ＩＣタグリーダ／ライタは、ＩＣタグとデータ通信を行ない、ＩＣタグのメモリにデータを読書きする機能を端末に与える装置である。このデータ通信は、接触式でも非接触式でも良く、非接触式である場合は、ブルートゥース方式であっても良い。
【００１５】
端末とサーバとは、ネットワークを介して接続される。このネットワークは、端末とサーバとの間でデータ通信可能であれば、特に制限は無く、例えば、インターネットやＬＡＮなどがある。
【００１６】
サーバは、インターネットに接続されている。
【００１７】
ＩＣタグは、薄型ディスプレイを備える。この薄型ディスプレイは、例えば、散乱／透過型液晶を応用した電子ペーパー技術により実現される。
【００１８】
端末により、ＩＣタグのメモリに、物品貸借情報（ＩＤ、貸主、借主、貸出日、返却期限、物品名等）が書き込まれると、ＩＣタグは、物品貸借情報の中で、貸主、返却期限など返却に係わる情報を薄型ディスプレイに表示する。この物品貸借情報の書込みは、物品を貸し出す際に行なわれる。このとき、ＩＣタグが物品に取付けられる。
【００１９】
また、ＩＣタグは、内部時計も備えており、ＩＣタグが、返却までの残り時間を計算して、薄型ディスプレイに表示するように、端末で設定できる。この設定がなされた場合、この設定に係わる情報も、物品貸借情報の一部として、ＩＣタグのメモリに書き込まれる。
【００２０】
また、ＩＣタグは、薄型スピーカーも備えており、返却期限が到来すると、ＩＣタグが、薄型スピーカーから警告音を出力するように、端末で設定できる。この設定がなされた場合、この設定に係わる情報も、物品貸借情報の一部として、ＩＣタグのメモリに書き込まれる。
【００２１】
また、端末は、返却証明書を発行する機能を有し、返却証明書を発行する際に、ＩＣタグのメモリから物品貸借情報を消去する。返却証明書の発行は、物品が返却される際に行われる。このとき、ＩＣタグが物品から取り外される。また、返却証明書は、借主に渡される。
【００２２】
サーバは、物品賃借情報を保管する。物品を貸し出す際に、端末より、物品賃借情報がサーバに登録される。また、物品が返却される際に、端末より、物品の返却を明示する情報が、サーバに既登録の物品貸借情報の一部として、サーバに追加登録される。
【００２３】
また、サーバが、インターネットを介して、借主のメールアドレスに、返却勧告メールを送るように、端末で設定できる。この設定がなされた場合、この設定に係わる借主のメールアドレスなどの情報も、物品貸借情報の一部として、サーバに登録される。
【００２４】
ＩＣタグは、多種多様な物品に取付けられるようにするために、例えばシール型やラベル型など、様々な形態のものが用意されることが好ましい。
【００２５】
２．処理
以下、物品の貸し出しから返却までの間に、ＩＣタグと、端末と、サーバとで構成されるシステムでなされる処理の流れの例を、図１のフローチャートに従って説明する。
【００２６】
Ｓ（ＳＴＥＰ）１；
貸主は、端末を用いて、ＩＣタグのメモリに、物品貸借情報を書き込む。このとき、貸主は、端末を用いて、ＩＣタグが、返却までの残り時間を計算して、薄型ディスプレイに表示するように、また、返却期限が到来すると、ＩＣタグが、薄型スピーカーから警告音を出力するように設定する。
【００２７】
Ｓ（ＳＴＥＰ）２；
ＩＣタグは、物品貸借情報の中で、貸主、返却期限など返却に係わる情報を薄型ディスプレイに表示する。
尚、貸主は、メモリに物品貸借情報が書き込まれたＩＣタグを、物品に取り付け、借主に貸し出す。
【００２８】
Ｓ（ＳＴＥＰ）３；
貸主は、端末を用いて、物品貸借情報を、サーバに登録する。このとき、貸主は、端末を用いて、サーバが、インターネットを介して、借主のメールアドレスに、返却期限の一日前に返却勧告メールを送るように設定する。
【００２９】
Ｓ（ＳＴＥＰ）４；
ＩＣタグは、常時、内部時計により、返却までの残り時間を計算して、薄型ディスプレイに表示する。
【００３０】
Ｓ（ＳＴＥＰ）５；
返却期限の一日前になると、サーバは、インターネットを介して、借主のメールアドレスに、返却勧告メールを送る。
【００３１】
Ｓ（ＳＴＥＰ）６；
返却期限になると、ＩＣタグは、薄型スピーカーから警告音を出力する。
この警告音により、借主に、借りている物品の返却を行なわせる。
【００３２】
Ｓ（ＳＴＥＰ）７；
借主から物品の返却が行なわれると、貸主は、端末を用いて、返却証明書を発行し、ＩＣタグのメモリから物品貸借情報を消去する。
尚、返却証明書は、貸主から借主に渡される。また、ＩＣタグは、物品から取り外される。
【００３３】
Ｓ（ＳＴＥＰ）８；
貸主は、端末を用いて、物品の返却を明示する情報を、サーバに既登録の物品貸借情報の一部として、サーバに追加登録する。
【００３４】
【発明の効果】
請求項１に記載の発明は、物品にＩＣタグを付けて貸し出す際に、ＩＣタグのメモリに物品賃借情報を書き込むことで、ＩＣタグは、物品貸借情報の中で、少なくとも、貸主、返却期限など返却に係わる情報を、薄型ディスプレイに表示するので、確実に返却を借主に履行させるという効果がある。
【００３５】
請求項２の発明は、返却までの残り時間を薄型ディスプレイに表示するので、より確実に返却を借主に履行させるという効果がある。
【００３６】
請求項３の発明は、返却期限が到来すると警告音が鳴るので、より一層確実に返却を借主に履行させるという効果がある。
【００３７】
請求項４及び６の発明は、請求項１〜３のＩＣタグについて、ＩＣタグを物品に取付けて貸し出す際に、ＩＣタグのメモリに物品貸借情報を書込み、ＩＣタグが取付けられた物品が返却される際に、返却証明書を発行するとともに、ＩＣタグのメモリに書き込まれている物品貸借情報を消去するので、確実に返却を借主に履行させ、返却されると返却証明書を発行し、ＩＣタグを再利用できるという効果がある
【００３８】
請求項５及び７の発明は、請求項１〜３のＩＣタグのメモリに、端末で書き込む物品貸借情報を管理し、借主の電子メールアドレスに返却勧告メールを送れるので、確実に返却を借主に促せるという効果がある。
【００３９】
以上、本発明は、物品の貸し借りにおけるトラブルを軽減し、円滑に物品の貸し借りを行なえるようにすることができるという効果がある。
【図面の簡単な説明】
【図１】本実施形態に係わる処理の流れの例を説明するフローチャート。
【図１】
2004220302.tif 000002